(57)【要約】【課題】  複数の板部材を積層してウエイトを構成するダイナミックダンパにおいて、その固有振動数の個体ばらつきを小さくするとともに、振動低減効果が得られる周波数域を広げて、少々の個体ばらつきがあっても振動を十分に低減できるようにする。【解決手段】  ダイナミックダンパＡのウエイト１３を、それぞれ中心に貫通穴１４ａ，１５ａを有する２枚の皿状の板部材１４，１５により構成する。それらの板部材１４，１５を上下方向に相互に裏返した状態で重ね合わせて（積層して）、貫通穴を囲む内周フランジ部において接合する。２枚の板部材１４，１５の間に形成される空間部Ｓを利用して、ゴム弾性体１２と加硫接着する際に板部材１５の外周フランジ部を保持して、その位置決め精度を高める。これにより、板部材１５と取付部材１１との間に形成されるゴム弾性体１２の主バネ部１２ａの寸法のばらつきを小さくすることができる。【選択図】      図１
2006342847.tif 000002
【特許請求の範囲】
【請求項１】
複数の板部材が積層されたウエイトを、ゴム弾性体を介して振動体に連結してなるダイナミックダンパであって、
前記複数の板部材のうち前記振動体に最も近い第１板部材は、その厚み方向に段差を有するように屈曲形成されていて、隣接する第２板部材との間に空間部が形成されており、
前記第１及び第２板部材の外周が前記ゴム弾性体と一体のゴム層により被覆されていて、このゴム層に、前記両板部材の間の空間部に対応して周方向に延びる凹部が形成されていることを特徴とするダイナミックダンパ。
【請求項２】
請求項１のダイナミックダンパにおいて、
第１及び第２の板部材は、いずれも内周側に貫通穴を有する皿状に形成され、積層方向に相互に裏返された状態で前記貫通穴を囲む内周側の部位において接合されていることを特徴とするダイナミックダンパ。
【請求項３】
請求項２のダイナミックダンパにおいて、
ウエイトは、内周側に貫通穴を有する皿状に形成されて、第２板部材と積層方向に裏返された状態で互いに外周側の部位において接合された第３板部材を備えていることを特徴とするダイナミックダンパ。
【請求項４】
請求項２又は３のいずれかのダイナミックダンパにおいて、
全ての板部材が略同一形状とされていることを特徴とするダイナミックダンパ。
【請求項５】
請求項１のダイナミックダンパにおいて、
第１板部材が内周側に貫通穴を有する皿状に形成されている一方、第２板部材は内周側に貫通穴を有する平板状に形成され、該両板部材が互いに貫通穴を囲む内周側の部位において接合されていることを特徴とするダイナミックダンパ。
【発明の詳細な説明】
【技術分野】
【０００１】
本発明は、振動体に付加されてその振動レベルを低下させるダイナミックダンパに関し、特に複数の板部材を積層したウエイトの構造の技術分野に属する。
【背景技術】
【０００２】
従来より、例えば自動車のエンジンのような振動発生源やエンジンマウント、サスペンションメンバなど振動の伝達経路となる部材（以下、振動体と総称する）に付加振動系を取り付けて、所定の周波数域において振動体の振動を吸収し、その振動レベルを低下させるようにしたダイナミックダンパは公知である（例えば特許文献１、２などを参照）。
【０００３】
そのような公知のダイナミックダンパは、低コスト化等のためにウエイトとして金属片を用い、これをバネ要素であるゴム弾性体を介して振動体に付加することが多い。そして、その付加振動系の固有振動数（共振周波数）を振動体の振動レベルが高い特定の周波数域に合わせるために、ウエイトの質量とゴム弾性体のバネ定数とを適宜、設定するようにしている。
【０００４】
また、例えば特許文献３には、ステアリングホイールのボス部のように狭いスペースにダイナミックダンパを設置する場合に、そのウエイトを、板金プレス成型品の板部材を積層して構成することが提案されている。こうすることで、ウエイトを例えば鋳造や鍛造等する場合のように大幅なコストアップを招くことなく、その形状の自由度を高めることができるからである。
【特許文献１】特開２００４−１１７８７号公報
【特許文献２】特開平１−２９３０５号公報
【特許文献３】特開平８−１２７３４７号公報
【発明の開示】
【発明が解決しようとする課題】
【０００５】
ところで、一般的にダイナミックダンパの性能は共振曲線（図７参照）によって表され、共振点における山の高さ（共振倍率）が高いほど、効果的に振動を低減できるものであるが、前記のようにバネ要素をゴム弾性体によって構成した場合は、そのバネ定数の個体ばらつきが比較的大きくなるため、固有振動数を正確に設定することが難しいという実状がある。
【０００６】
そのようにバネ定数がばらつくのはゴムの物性がばらつくことにも依るが、ゴム弾性体の寸法がばらつくことの影響も大きい。すなわち、前記のようなダイナミックダンパは、通常、金属製のウエイトを成形型に入れてゴムの加硫と同時に接着するようにしており、その際、成形型の内部でウエイトの位置がずれることにより、ゴム弾性体の寸法にばらつきを生じる。
【０００７】
特に前記特許文献３のもののように板金プレス成型品の板部材を積層してウエイトを構成する場合には、板部材個々の厚みのばらつきが積み重なる上に、それらの隙間のばらつきも加わってウエイト自体の寸法が大きくばらつくことになるから、ゴム弾性体の寸法のばらつきはかなり大きくなってしまう。
【０００８】
そうしてゴム弾性体の寸法のばらつきが大きくなると、そのバネ定数のばらつきも大きくなるから、固有振動数が狙いとする値から大きくずれてしまい、ダイナミックダンパによって振動を効果的に低減できる周波数域と振動体の振動レベルが高い周波数域とが大きくずれて、所期の振動低減効果を得られなくなり、そればかりか、反共振による悪影響を生じる虞れもある。
【０００９】
本発明は、斯かる点に鑑みてなされたものであり、その目的とするところは、板部材を積層したウエイトの構造に工夫を凝らして、ダイナミックダンパの固有振動数の個体ばらつきを小さくするとともに、該ダイナミックダンパによる振動低減効果が得られる周波数域を拡大して、少々の個体ばらつきがあっても振動を十分に低減できるようにすることにある。
【課題を解決するための手段】
【００１０】
前記の目的を達成するために、本発明では、ウエイトを構成する複数の板部材のうち、振動体に最も近い第１の板部材を厚み方向に屈曲する形状とし、これと隣接する第２の板部材との間に空間部を形成して、ここで該第１の板部材を保持することにより、ゴム弾性体と加硫接着する際の位置決め精度を高めるようにした。
【００１１】
具体的に、請求項１の発明は、複数の板部材が積層されたウエイトを、ゴム弾性体を介して振動体に連結してなるダイナミックダンパが対象であり、それら複数の板部材のうち、前記振動体に最も近い第１板部材が厚み方向に段差を有するように屈曲形成されていて、これと隣接する第２板部材との間に空間部が形成されているとともに、その第１及び第２板部材の外周が前記ゴム弾性体と一体のゴム層により被覆されていて、このゴム層に、それら両板部材の間の空間部に対応して周方向に延びる凹部が形成されていることを特徴とする。
【００１２】
前記構成のダイナミックダンパは、ウエイトを構成する積層された複数の板部材のうち、最下層の第１板部材が厚み方向に段差を有するように屈曲形成されて、これと隣接する第２板部材との間に空間部が形成されている。このため、ウエイトをゴムの成形型に入れてゴム弾性体と加硫接着する際に、そのゴム弾性体と直接、接する第１板部材を前記の空間部を利用して保持することができ、これにより成形型に対する位置決め精度を高くすることができる。
【００１３】
このことで、前記板部材のそれぞれの厚みにばらつきがあり、さらにそれらの隙間によってウエイト自体の積層方向の寸法が大きくばらついていても、このことによってゴム弾性体の寸法が大きくばらつくことはなく、そのバネ定数のばらつきを小さくすることができる。そうして第２板部材との間の空間部を利用して第１板部材を保持しながら、ウエイトとゴム弾性体とを加硫接着すると、そのための保持具の痕跡として、前記の空間部に対応するウエイト外周上の位置に周方向に延びる凹部が形成されることになる。
【００１４】
また、前記のように第１板部材がその厚み方向に屈曲した形状であると、これが平板状である場合に比べてウエイトが板部材の積層方向に長くなり、その重心位置が振動体から遠ざかることになる。このことで、ダイナミックダンパによって振動を低減できる周波数域が相対的に広くなり、その固有振動数（共振周波数）の個体ばらつきが少々あっても、狙いとする周波数域において振動の低減効果を得ることができる。
【００１５】
前記のようにウエイトの形状及び重心位置が変化すると、振動を低減できる周波数域が変化することについて、質量及びバネ定数の同じ２つの付加振動系について説明すると、例えば模式的に図６(a)，(b)に示す２つの振動系の固有振動数ｆは、ウエイトＷの質量をＭとし、バネ要素であるゴム弾性体Ｒのバネ定数をｋとすると、簡略には
ｆ＝(２π)-1・(ｋ／Ｍ)1/2
と表され、両者は同じ値になる。しかし、前記２つの付加振動系の共振曲線は、例えば図７に実線及び破線でそれぞれ示すような形状になり、共振点の山の高さや裾野の広さが異なるものとなる。
【００１６】
そのように共振曲線の形状が変化する理由は、ウエイトの重心周りの回動変位（首振り）に起因すると考えられる。すなわち、図示のようなウエイトＷを備えた付加振動系においては振動の入力によってウエイトＷの重心Ｇが並進移動するとともに、それが重心Ｇの周りに回動（首振り）することから、ゴム弾性体Ｒの歪みはその内部において一定ではなく、或る程度の幅を持つことになる。
【００１７】
そして、加硫ゴムの性質として、その動バネ定数は歪み振幅とともに低下するので、前記のようにゴム弾性体Ｒの歪みが部位によって異なり、また、ウエイトＷの首振りの大きさによっても異なるものであるとすれば、ゴム弾性体Ｒ全体としての平均的な動バネ定数ｋの値も一定ではなく、或る程度の幅を持つことになる。このため、前記の式によって導かれる固有振動数ｆの値も或る程度の幅を持つものとなり、そのことが前記のような共振曲線の形状の変化として現れるのである。
【００１８】
すなわち、例えば前記図６(a)のようにウエイトＷが比較的細長くて、その重心Ｇの高さｈが比較的高い（振動体から遠い）場合には、自ずと首振りが大きくなるので、この付加振動系の共振曲線は図７に破線で示すようになり、共振点における山の高さがやや低くなるものの、その裾野は広がって、振動を低減できる周波数域が比較的広くなる。
【００１９】
これに対し、図６(b)のようにウエイトＷが比較的扁平で、その重心Ｇの高さｈが比較的低い（振動体に近い）場合には、首振りは小さくなるので、図７に実線で示すように共振曲線の山の高さが高くなって、振動低減効果は高くなるが、一方で、その裾野は狭くなるので、振動を低減できる周波数域は比較的狭くなってしまうのである。
【００２０】
以上、要するに、前記の如き構成の本発明のダイナミックダンパは、板部材を積層したウエイトを使用する場合でも、このウエイトを振動体に連結するゴム弾性体の寸法のばらつきを抑制して、そのバネ定数のばらつきを小さくし、これにより固有振動数のばらつきを減らすことができるとともに、ウエイトを比較的重心の高い（重心位置を振動体から遠い）形状とすることで、振動低減効果の得られる周波数域を広げることができ、それらの相乗的な効果で、狙いとする周波数域の振動を十分に低減できるようになる。
【００２１】
より具体的に、前記ウエイトの構造として好ましいのは、第１及び第２の板部材をいずれも内周側に貫通穴を有する皿状に形成し、これらを積層方向に相互に裏返した状態で、貫通穴を囲む内周側の部位において接合することである（請求項２）。こうすれば、皿状に形成された第１板部材の外周部を、その全周においてより確実に保持することができる。また、第２板部材も第１板部材と同様に厚み方向に屈曲されているため、それらが積層されたウエイトの重心位置をより高くすることができ、これにより、振動低減効果の得られる周波数域をより広げることができる。
【００２２】
その場合に、前記ウエイトの構造として、さらに好ましいのは、前記第１及び第２板部材と同様に内周側に貫通穴を有する皿状の第３板部材を備え、この第３板部材と前記第２板部材とを積層方向に相互に裏返した状態で、互いに外周側の部位において接合することである（請求項３）。こうすれば、皿状の第１〜第３板部材が積層されたウエイトの重心位置がさらに高くなるので、振動低減効果の得られる周波数域をより一層、広げることができる。
【００２３】
そして、そのように貫通穴を有する皿状の板部材を積層して、ウエイトを構成するのであれば、それらを全て略同一形状とすることで（請求項４）、コストの低減が図られる。
【００２４】
但し、必ずしもそのように全ての板部材を略同一形状とする必要はなく、例えば、前記第２板部材は、内周側に貫通穴を有する平板状に形成して、これを前記第１板部材と貫通穴を囲む内周側の部位において接合する構成としてもよい（請求項５）。
【発明の効果】
【００２５】
以上、説明したように、本発明に係るダイナミックダンパによると、複数の板部材を積層してウエイトを構成する場合でも、このウエイトを振動体に連結するゴム弾性体の寸法のばらつきを抑制して、そのバネ定数のばらつきを小さくし、これにより、ダイナミックダンパの固有振動数の個体ばらつきを小さくすることができるとともに、そのウエイトを比較的重心の高い（重心位置が振動体から遠い）形状として、振動低減効果の得られる周波数域を広げることができ、それらの相乗的な効果で振動体の所定周波数域の振動を十分に低減することができる。
【００２６】
特に、全ての板部材を全て略同一の皿状に形成し、それらを交互に裏返して積層するようにすれば、前記の効果を十分に得ながら、コストを低減することができる。
【発明を実施するための最良の形態】
【００２７】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２８】
図２は、本発明に係るダイナミックダンパＡを自動車のエンジンマウント１に適用した実施形態を示し、このエンジンマウント１は、図示しないエンジンと車体との間に介在されて、そのエンジンの静荷重を支持するとともに、エンジンの発生する振動を吸収し、或いは減衰させて車体への伝達を抑制するためのものである。この実施形態では、エンジンマウント１が振動体である。
【００２９】
前記エンジンマウント１は、例えば、金属製外套２で補強したゴム製容器の中に液体を封入した上下２つの室を設け、この両室をオリフィスでつないだものであり、前記外套２には車体に取り付けるための車体ブラケット３〜５が設けられている。また、前記ゴム製容器の上部には金属製の支持部材６が結合されていて、この支持部材６にはエンジンに取り付けるためのエンジンブラケット７が締結されるようになっている。
【００３０】
すなわち、エンジンから延設されるエンジンブラケット７の端部が前記支持部材６の上面に重ねられていて、そのブラケット７の端部上面にダイナミックダンパＡの後述する取付部材１１が重ねられて、この取付部材１１とブラケット７の端部とがボルト８により支持部材６に共締めされている。
【００３１】
ダイナミックダンパＡは、図１(a)に拡大して示すように、前記取付部材１１の上面にゴム弾性体１２を介してウエイト１３（同図(b)に単体で示す）が取付けられたものである。取付部材１１は、円板状の金属板によって形成されていて、その中心に前記ボルト８を挿通するためのボルト穴１１ａが形成されている。また、ゴム弾性体１２は、前記取付部材１１の上面でボルト穴１１ａの周囲を巡り、且つ上方に向かって延びる円筒状に形成されており、その内部に、取付部材１１の上面から離間して上下２枚の環状の板部材１４，１５からなるウエイト１３が埋め込まれている。
【００３２】
前記ゴム弾性体１２は、取付部材１１とその上方に対峙する板部材１５（振動体であるエンジンマウント１に最も近い第１板部材）とに挟まれた部分が、ダイナミックダンパＡのバネ要素として機能する主バネ部１２ａとされている。主バネ部１２ａは、前記板部材１５の外周部の下面付近から取付部材１１の外周を囲む下端部まで、その外径がやや小さくされた小径部である。
【００３３】
前記ウエイト１３を構成する２枚の板部材１４，１５は、いずれも金属製板材をプレス成形して、その中心に前記取付部材１１のボルト穴１１ａよりも大径の貫通穴１４ａ，１５ａを有する皿状に形成したものである。この例では、２枚の板部材は略同じ形状とされ、上下方向に相互に裏返された状態で重ねられて（積層されて）、貫通穴１４ａ，１５ａを囲む内周側の部位において溶接により接合されている。
【００３４】
より詳しくは、図１(b)にのみ符号を付して示すが、前記板部材１４，１５は、それぞれ、内周フランジ部１４ｂ，１５ｂ及び外周フランジ部１４ｃ，１５ｃが傾斜部１４ｄ，１５ｄにより繋がれて、内外周間に厚み方向の段差ができるように緩やかに屈曲している。そして、両板部材１４，１５の貫通穴１４ａ，１５ａを囲む内周フランジ部１４ｂ，１５ｂ同士が接合されている一方、そこから外周側に向かって徐々に両板部材１４，１５の間隔が広くなっていて、そこにはウエイト１３の全周に亘る環状の空間部Ｓが形成されている。
【００３５】
そして、同図(a)の如く、前記両板部材１４，１５の接合部を除くウエイト１３の表面全てが、主バネ部１２ａに連なるゴム弾性体１２のゴム層により覆われていて、そのうちの前記空間部Ｓに対応する相対的に厚肉のゴム層１２ｂには、板部材１５の外周フランジ部１５ｃの上面付近に沿って、全周に亘る環状の溝部１６（凹部）が形成されている。言い換えると、ゴム弾性体１２の外周には小径の主バネ部１２ａと前記溝部１６とに挟まれて、ちょうど板部材１５の外周フランジ部１５ｃを覆うように環状の畝部１７が形成されている。
【００３６】
ここで、上述の構成のダイナミックダンパＡを製造するときには、図３に示すように、取付部材１１及びウエイト１３を前記のエンジンマウント１への取付時とは上下反転した状態で成形型Ｄ内のキャビティに設置し、このキャビティに充填したゴムの加硫と同時に、このゴムに接着する。この際、図の下方に位置する板部材１４が内外周側及び下側から下型ｄ１により保持されるとともに、図の上方に位置する板部材１５は、外周フランジ部１５ｃが外周側及び上側から上型ｄ２により保持され、且つ下側から中間型ｄ３によって保持されるようになる。また、取付部材１１は上型ｄ２及び下型ｄ１により挟持される。
【００３７】
こうして取付部材１１が上下の型ｄ１，ｄ２間に挟持されるとともに、板部材１５は、その外周フランジ部１５ｃを全周に亘って上型ｄ２と中間型ｄ３との間に挟まれた状態になって、いずれも成形型Ｄに対し精度良く位置決めされることになる。そのため、２枚の板部材１４，１５にそれぞれ厚みのばらつきがあり、さらに両者の間に隙間があって、ウエイト１３全体として高さ（厚み寸法）がばらついていても、取付部材１１と板部材１５との間に形成されるゴム弾性体１２の主バネ部１２ａの高さ（厚み寸法）が大きくばらつくことはなく、そのバネ定数のばらつきを小さくすることができる。
【００３８】
そうして板部材１５の外周フランジ部１５ｃを上型ｄ２と中間型ｄ３との中間に挟んだ状態で、ゴム弾性体１２を加硫成型すると、上述したように、ゴム弾性体１２の外周には板部材１５の外周フランジ部１５ｃに沿うようにして環状の溝部１６が形成され、この溝部１６と小径の主バネ部１２ａとの間に環状の畝部１７が形成されることになる。
【００３９】
したがって、この実施形態のダイナミックダンパＡは、プレス成型した金属製板部材１４，１５を重ね合わせてウエイト１３を構成する場合でも、このウエイト１３を振動体であるエンジンマウント１に連結するゴム弾性体１２においてバネ要素として機能する主バネ部１２ａの寸法のばらつきが抑制されて、そのバネ定数のばらつきが小さくなるので、このことに起因する固有振動数の個体ばらつきが小さくなり、エンジンマウント１の振動を低減する周波数域を精度良く設定することができる。
【００４０】
また、それぞれ厚み方向に屈曲する皿状の板部材１４，１５を相互に裏返して積層したことで、それらが平板状である場合に比べてウエイト１３が積層方向に長くなり、その重心位置が高くなるから、図６，７を参照して上述したように、振動を低減する周波数域を広げて、固有振動数の個体ばらつきが少々あっても、振動低減効果を得ることができる。
【００４１】
そして、そのようにダイナミックダンパＡの固有振動数のばらつきが小さくなり、振動を低減する周波数域が精度良く設定できることと、その周波数域が相対的に広くなることとの相乗的な効果で、エンジンマウント１の振動を狙いとする周波数域において十分に吸収し、その振動レベルを低下させることができる。
【００４２】
加えて、この実施形態では、前記のようにプレス成型した同一形状の板部材１４，１５を重ね合わせて、ウエイト１３を構成するようにしているので、例えば鋳造、鍛造等する場合に比べてウエイト１３の製造コストをかなり低減することができ、これによりダイナミックダンパＡの製造コストも低減できる。
【００４３】
（他の実施形態）
尚、本発明の構成は、前記実施形態に限定されるものではなく、その他の種々の実施形態を包含するものである。すなわち、前記の実施形態では、ウエイト１３を２枚の皿状の板部材１４，１５により構成しているが、これに限らず、例えば図４に一例を示すように、第１の板部材１５と重ね合わされる第２の板部材１４は、その内周側に貫通穴１４ａを有する略平坦な円板状に形成してもよい。
【００４４】
或いは、例えば図５に一例を示すように、２枚の板部材１４，１５と同じ形状の第３の板部材１８を第２の板部材１４に上方から重ね合わせて、積層することもできる。この場合、図示の如く第３の板部材１８及び第２の板部材１４はその積層方向に相互に裏返した状態で、互いに外周フランジ部において接合するのがよい。こうすれば、皿状の３枚の板部材１４，１５，１８を積層したウエイト１３がさらに長くなり、その重心位置がさらに高くなるので、振動低減効果の得られる周波数域をより一層、広げることができる。
【００４５】
さらに、ウエイト１３を構成する板部材は、前記のような皿状や円板状のものでなくてもよく、例えば平面視で矩形の板部材を折り曲げて厚み方向に段差ができるような形状とするだけでもよい。
【００４６】
また、前記実施形態では、ダイナミックダンパＡの製造時に中間型ｄ３によってウエイト１３の板部材１５の全周を保持するようにしており、そのため、ゴム弾性体１２の外周には全周に亘って溝部１６が形成されることになるが、前記板部材１５の外周の一部を保持するようにしてもよく、そうすれば、ゴム弾性体１２の外周には周方向に延びる凹部が形成されることになる。
【００４７】
さらにまた、前記実施形態では、本発明のダイナミックダンパＡを自動車用のエンジンマウント１に取り付けているが、ダイナミックダンパＡの用途は、それに限定されず、例えば、それ以外のエンジンマウント、自動車のサスペンションブッシュ等、種々の用途に用いられる。
【産業上の利用可能性】
【００４８】
以上、説明したように、本発明に係るダイナミックダンパは、板部材を積層して、比較的低コストで形状の自由度が高いウエイトを構成することができるとともに、その場合でも固有振動数の個体ばらつきを抑えて、振動体の振動を狙いとする周波数域において十分に低減できるものなので、例えば自動車のエンジンマウント、サスペンションブッシュを始めとして、各種産業機械などにも好適なものである。
【図面の簡単な説明】
【００４９】
【図１】本発明に係るダイナミックダンパを示す斜視図であり、(a)は一部を切り欠いてダンパの内部構造を示し、(b)はウエイトを単体で示す。
【図２】同ダイナミックダンパを適用したエンジンマウントの正面図である。
【図３】同ダイナミックダンパの製造過程を模式的に示す断面図である。
【図４】ウエイトに円板を用いた他の実施形態の図１(a)相当図である。
【図５】ウエイトとして３枚の板部材を用いた他の実施形態の図１(a)相当図である。
【図６】ウエイトの形状が異なる２つの付加振動系を模式的に示す説明図である。
【図７】同２つの付加振動系の共振曲線を対比して示すグラフ図である。
【符号の説明】
【００５０】
Ａ      ダイナミックダンパ
１      エンジンマウント（振動体）
１２    ゴム弾性体
１２ａ  主バネ部
１２ｂ  ゴム層
１３    ウエイト
１４    板部材（第２の板部材）
１４ａ  貫通穴
１５    板部材（第１の板部材）
１５ａ  貫通穴
１６    溝部（凹部）
１８    板部材（第３の板部材）
Ｓ      空間部
【図１】
2006342847.tif 000003
【図２】
2006342847.tif 000004
【図３】
2006342847.tif 000005
【図４】
2006342847.tif 000006
【図５】
2006342847.tif 000007
【図６】
2006342847.tif 000008
【図７】
2006342847.tif 000009